(57)【特許請求の範囲】
【請求項１】
ハンディターミナルと、前記ハンディターミナルと通信可能な情報処理装置とを備えた医療支援システムであって、
前記情報処理装置は、
前記ハンディターミナルを使用する医療従事者を選択する選択手段と、
前記医療従事者ごとに、当該医療従事者の担当患者及び担当科目が記録された医療従事者情報を参照して、前記選択された医療従事者の担当患者及び担当科目に対応した前記ハンディターミナルの入力項目を設定する項目設定手段と、
前記項目設定手段によって設定された入力項目のキーの配置位置と、当該入力項目との対応関係を記述した設定情報を作成する手段と、
前記設定情報をもとに、前記ハンディターミナルの入力部に装着する当該入力部のキーの配置位置に前記入力項目の名称が印刷されたキーシートを印刷する印刷手段と、
前記設定情報を前記ハンディターミナルに通知する項目通知手段とを備え、
前記ハンディターミナルは、
前記情報処理装置より通知された前記設定情報をもとに、前記入力部のキー割付を行うキー割付手段を備える医療支援システム。
【請求項２】
前記項目設定手段は、患者ごとに、当該患者の受診科目及び部屋番号が記録された患者情報を参照して、前記選択された医療従事者の担当患者の受診科目及び部屋番号に対応した入力項目を設定する、
請求項１に記載の医療支援システム。
【請求項３】
前記ハンディターミナルは、前記印刷されたキーシートの前記入力部への装着を前記情報処理装置へ通知する装着通知手段を更に備え、
前記項目通知手段は、前記ハンディターミナルより通知された前記入力部への装着に応じて、前記ハンディターミナルに通知した入力項目の運用を許可する運用許可を通知し、
前記キー割付手段は、前記情報処理装置より通知された運用許可をもとに、前記キー割付に従った前記入力部の入力受け付けを開始させる、
請求項１又は２に記載の医療支援システム。
【請求項４】
情報処理装置のコンピュータを、
ハンディターミナルを使用する医療従事者を選択する選択手段と、
前記医療従事者ごとに、当該医療従事者の担当患者及び担当科目が記録された医療従事者情報を参照して、前記選択された医療従事者の担当患者及び担当科目に対応した前記ハンディターミナルの入力項目を設定する項目設定手段と、
前記項目設定手段によって設定された入力項目のキーの配置位置と、当該入力項目との対応関係を記述した設定情報を作成する手段と、
前記設定情報をもとに、前記ハンディターミナルの入力部に装着する当該入力部のキーの配置位置に前記入力項目の名称が印刷されたキーシートを印刷手段に印刷させる印刷制御手段と、
前記設定情報を通信手段を介して前記ハンディターミナルに通知させる項目通知手段と、
して機能させるプログラム。
【請求項５】
前記項目設定手段は、患者ごとに、当該患者の受診科目及び部屋番号が記録された患者情報を参照して、前記選択された医療従事者の担当患者の受診科目及び部屋番号に対応した入力項目を設定する、
請求項４に記載のプログラム。
【請求項６】
前記項目通知手段は、前記通信手段を介して前記ハンディターミナルより通知された、前記印刷されたキーシートの前記入力部への装着に応じて、前記ハンディターミナルに通知した入力項目の運用を許可する運用許可を当該ハンディターミナルに通知させる、
請求項４又は５に記載のプログラム。
【発明の詳細な説明】
【技術分野】
【０００１】
本発明の実施形態は、医療支援システム及びプログラムに関する。
【背景技術】
【０００２】
従来、病院では、医療・看護行為を効率的に進めるために、ＰＤＡ（Personal  Digital  Assistant）等のハンディターミナルを看護師や医師等の医療従事者が利用して、患者に関するデータの閲覧やデータの入力等の医療・看護業務を支援する医療支援システムの導入が進んでいる。
【発明の概要】
【発明が解決しようとする課題】
【０００３】
しかしながら、上述した従来技術においては、ハンディターミナルの各キーに設定された入力項目、すなわちキー割付は統一されたものであり、医療従事者ごとにハンディターミナルのキー割付の設定を変更することは容易にできるものではなかった。
【課題を解決するための手段】
【０００４】
上述した課題を解決するために、実施形態の医療支援システムは、ハンディターミナルと、前記ハンディターミナルと通信可能な情報処理装置とを備えた医療支援システムであって、前記情報処理装置は、前記ハンディターミナルを使用する医療従事者を選択する選択手段と、前記医療従事者ごとに、当該医療従事者の担当患者及び担当科目が記録された医療従事者情報を参照して、前記選択された医療従事者の担当患者及び担当科目に対応した前記ハンディターミナルの入力項目を設定する項目設定手段と、前記項目設定手段によって設定された入力項目のキーの配置位置と、当該入力項目との対応関係を記述した設定情報を作成する手段と、前記設定情報をもとに、前記ハンディターミナルの入力部に装着する当該入力部のキーの配置位置に前記入力項目の名称が印刷されたキーシートを印刷する印刷手段と、前記設定情報を前記ハンディターミナルに通知する項目通知手段とを備え、前記ハンディターミナルは、前記情報処理装置より通知された前記設定情報をもとに、前記入力部のキー割付を行うキー割付手段を備える。
【０００５】
また、実施形態のプログラムは、情報処理装置のコンピュータを、ハンディターミナルを使用する医療従事者を選択する選択手段と、前記医療従事者ごとに、当該医療従事者の担当患者及び担当科目が記録された医療従事者情報を参照して、前記選択された医療従事者の担当患者及び担当科目に対応した前記ハンディターミナルの入力項目を設定する項目設定手段と、前記項目設定手段によって設定された入力項目のキーの配置位置と、当該入力項目との対応関係を記述した設定情報を作成する手段と、前記設定情報をもとに、前記ハンディターミナルの入力部に装着する当該入力部のキーの配置位置に前記入力項目の名称が印刷されたキーシートを印刷手段に印刷させる印刷制御手段と、前記設定情報を通信手段を介して前記ハンディターミナルに通知させる項目通知手段と、して機能させる。
【図面の簡単な説明】
【０００６】
【図１】図１は、本実施形態にかかる医療支援システムの全体構成を概略的に示す図である。
【図２】図２は、看護師ＤＢのデータ構成を例示する図である。
【図３】図３は、患者ＤＢのデータ構成を例示する図である。
【図４】図４は、看護業務ＤＢのデータ構成を例示する図である。
【図５】図５は、端末装置のハードウエア構成を示すブロック図である。
【図６】図６は、ハンディターミナルの概略的構成を示す正面図である。
【図７】図７は、ハンディターミナルのハードウエア構成を示すブロック図である。
【図８】図８は、医療支援システムの動作の一例を示すシーケンス図である。
【図９】図９は、印刷されたキーシートを例示する図である。
【発明を実施するための形態】
【０００７】
図１は、本実施形態にかかる医療支援システム１の全体構成を概略的に示す図である。図１に示すように、医療支援システム１は、看護支援サーバ２と、情報処理装置としての端末装置３と、プリンタ４と、看護師や医師等の医療従事者が携帯して使用するハンディターミナル１０とで主に構成される。なお、本実施形態では、ハンディターミナル１０を利用する医療従事者は看護師であるものとする。
【０００８】
医療支援システム１において、看護支援サーバ２と、端末装置３と、プリンタ４とは病院内に設けられた有線ＬＡＮ（Local  Area  Network）または無線ＬＡＮ等の通信ネットワークを介して通信可能である。また、ハンディターミナル１０は、無線ＬＡＮ等の無線通信により看護支援サーバ２及び端末装置３に接続可能である。尚、図１では各装置を夫々１つずつ図示しているが、各装置の数は複数でもよい。
【０００９】
看護支援サーバ２は、ＣＰＵ（Central  Processing  Unit）などの制御装置と、ＲＯＭ（Read  Only  Memory）やＲＡＭ（Random  Access  Memory）などの記憶装置と、ＨＤＤ（Hard  Disk  Drive）、ＣＤドライブ装置などの外部記憶装置と、ディスプレイ装置などの表示装置と、キーボードやマウスなどの入力装置と、通信Ｉ／Ｆ（Interface）等を主に備えており、通常のコンピュータを利用したハードウェア構成を有している。
【００１０】
看護支援サーバ２は、看護師ごとに、看護師の担当患者、看護師が担当する診療科目である担当科目などを記録する看護師ＤＢ２１（Database）、患者ごとに、患者の受診科目、患者が在室する病室の部屋番号などを記録する患者ＤＢ２２、看護師が行う業務と、業務にかかる科目との関係を記録する看護業務ＤＢ２３、患者ごとの電子カルテを記録する電子カルテＤＢ２４を備えている。看護支援サーバ２は、端末装置３、ハンディターミナル１０からのデータ要求に応じて、看護師ＤＢ２１、患者ＤＢ２２、看護業務ＤＢ２３、電子カルテＤＢ２４が記録するデータを要求元に送信する。また、看護支援サーバ２は、端末装置３、ハンディターミナル１０からのデータの更新要求に応じて、看護師ＤＢ２１、患者ＤＢ２２、看護業務ＤＢ２３、電子カルテＤＢ２４が記録するデータを更新する。
【００１１】
図２は、看護師ＤＢ２１のデータ構成を例示する図である。図２に示すように、看護師ＤＢ２１は、看護師を識別する看護師ＩＤごとに、看護師の担当患者を示す患者のＩＤ、担当科目の名称などを記録する医療従事者情報である。例えば、看護師ＩＤが「１００１」の看護師については、担当患者を示す「２００１」の担当患者ＩＤと、「内科」の担当科目の名称が記録されている。したがって、看護師ＩＤをもとに看護師ＤＢ２１を参照することで、その看護師ＩＤで識別される看護師の担当患者、担当科目を読み出すことができる。
【００１２】
図３は、患者ＤＢ２２のデータ構成を例示する図である。図３に示すように、患者ＤＢ２２は、患者を識別する患者ＩＤごとに、患者が受診している受診科目、患者が在室する病室の部屋番号などを記録する。例えば、患者ＩＤが「２００１」の患者については、「内科（泌尿器）」の受診科目と、「２０１」の部屋番号が記録されている。したがって、患者ＩＤをもとに患者ＤＢ２２を参照することで、その患者ＩＤで識別される患者の受診科目、部屋番号を読み出すことができる。
【００１３】
図４は、看護業務ＤＢ２３のデータ構成を例示する図である。図４に示すように、看護業務ＤＢ２３は、看護師が行う業務を識別する業務ＩＤごとに、業務の項目を示す業務項目、その業務項目にかかる受診科目などを記録する。例えば、業務ＩＤが「３００１」の業務については、「採血」の業務項目と、「内科」の受診科目が記録されている。したがって、業務ＩＤをもとに看護業務ＤＢ２３を参照することで、その業務ＩＤで識別される業務の業務項目、受診科目を読み出すことができる。
【００１４】
図１に戻り、端末装置３は、各種業務用のアプリケーションプログラムを実行することで、看護支援サーバ２に備えられた看護師ＤＢ２１、患者ＤＢ２２、看護業務ＤＢ２３、電子カルテＤＢ２４にデータを要求して看護支援サーバ２より送信されたデータを用いて、各種業務を行うＰＣ（Personal  Computer）等の情報処理装置である。
【００１５】
具体的には、端末装置３は、アプリケーションプログラムによる業務の一つとして、ハンディターミナル１０の入力部１５（図７参照）に装着して使用するキーシート５１の入力項目６１を設定し、入力項目６１を設定したキーシート５１の印刷情報をプリンタ４に通知してキーシート５１の印刷と、キーシート５１に設定した入力項目６１の配置位置等のキー割付に必要な設定情報のハンディターミナル１０への通知を行う。また、端末装置３は、ハンディターミナル１０より通知された、キーシート５１の入力部１５への装着を示す装着通知を受け付けて、キーシート５１に設定した入力項目６１の運用を許可する運用許可をハンディターミナル１０へ通知する。ハンディターミナル１０では、端末装置３より通知された運用許可をもとに、キーシート５１に設定した入力項目６１の設定情報に従った入力部１５における操作の受け付け、すなわち、プリンタ４により印刷されて入力部１５に装着されたキーシート５１の入力項目６１による操作の受け付けを開始する。
【００１６】
図５は、端末装置３のハードウエア構成を示すブロック図である。図５に示すように、端末装置３は、ＣＰＵ３１等の制御装置と、ＲＯＭ３２やＲＡＭ３３等の記憶装置と、ディスプレイ装置等の表示部３４と、タッチパネルやキーボード等の入力部３５と、サーマルプリンタ等のプリンタ４と、通信Ｉ／Ｆ３７等を主に備えており、通常のＰＣと同様のハードウェア構成を有している。
【００１７】
端末装置３のＣＰＵ３１は、ＲＯＭ３２や、ＨＤＤ等の記憶装置（図示しない）に格納されたアプリケーションプログラムをＲＡＭ３３に展開して実行することにより、看護師選択部３１１と、項目設定部３１２と、印刷制御部３１３と、通信制御部３１４として機能する。
【００１８】
看護師選択部３１１は、入力部３５によるユーザの操作を受け付けて、ハンディターミナル１０を使用する医療従事者である看護師を選択する。具体的には、看護師選択部３１１は、看護師ＤＢ２１より読み出したデータをもとに、看護師の一覧を表示して、その看護師の一覧の中から看護師の選択を受け付ける選択画面を表示部３４に表示し、入力部３５の操作指示に応じた看護師の選択を受け付ける。
【００１９】
項目設定部３１２は、看護師選択部３１１により選択された看護師の担当患者及び担当科目に対応したハンディターミナル１０の入力項目を設定する。具体的には、項目設定部３１２は、看護師選択部３１１により選択された看護師について、その看護師を識別する看護師ＩＤで看護師ＤＢ２１を参照し、その看護師ＩＤに対応して記録されている担当患者（担当患者ＩＤ）、担当科目を抽出する。また、項目設定部３１２は、抽出した担当患者の患者ＩＤで患者ＤＢ２２を参照し、その患者ＩＤに対応して記録されている受診科目、部屋番号を抽出する。次いで、項目設定部３１２は、抽出した担当科目、受診科目で看護業務ＤＢ２３を参照し、その担当科目、受診科目に対応した業務項目を抽出する。項目設定部３１２は、選択された看護師の看護師ＩＤにより上述した看護師ＤＢ２１、患者ＤＢ２２、看護業務ＤＢ２３から抽出されたデータをもとにハンディターミナル１０の入力項目を決定し、その決定した入力項目をハンディターミナル１０の入力部１５におけるキーに割り付けた設定情報を作成する。
【００２０】
例えば、抽出された部屋番号を選択することでその部屋番号の入力を指定する入力項目を、ハンディターミナル１０の入力部１５において患者の部屋番号の入力を行う領域のキーに割り付ける。また、抽出された業務項目を選択することでその業務項目にかかる業務処理の実行を指示する入力項目を、ハンディターミナル１０の入力部１５において各種業務の項目を選択する領域のキーに割り付ける。また、抽出された部屋番号や業務項目以外に、予め設定された基本業務やシステム操作等を指示する入力項目をハンディターミナル１０の入力部１５における所定のキーに割り付ける。次いで、項目設定部３１２は、上述した入力項目の設定を行ったキーの配置位置と、入力項目との対応関係を記述した設定情報を作成する。
【００２１】
印刷制御部３１３は、項目設定部３１２により設定されたハンディターミナル１０の入力部１５における入力項目をもとに、入力部１５に装着するキーシート５１をプリンタ４に印刷させる。具体的には、印刷制御部３１３は、項目設定部３１２により作成された設定情報をもとに、入力部１５における所定のキーの配置位置に入力項目の名称を印刷したキーシート５１をプリンタ４に印刷させる印刷情報を生成して、プリンタ４へ出力する。プリンタ４では、印刷制御部３１３より出力された印刷情報をもとにキーシート５１への印刷を行う。また、プリンタ４は、キーシート５１への印刷が完了したところで、印刷の完了を示す印刷完了通知を端末装置３へ出力する。
【００２２】
通信制御部３１４は、端末装置３と看護支援サーバ２、プリンタ４及びハンディターミナル１０において通信Ｉ／Ｆ３７を介して行うデータ通信を制御する。具体的には、通信制御部３１４は、看護支援サーバ２へのデータ要求や、そのデータ要求に対する看護支援サーバ２からのデータ送信の受信を制御する。また、通信制御部３１４は、プリンタ４への印刷情報の送信や、キーシート５１の印刷後の印刷完了通知の受信を制御する。また、通信制御部３１４は、項目設定部３１２により設定されたハンディターミナル１０の入力項目のハンディターミナル１０への通知、より具体的には項目設定部３１２により作成された設定情報のハンディターミナル１０への通知、ハンディターミナル１０に通知した入力項目の運用を許可する運用許可の通知、ハンディターミナル１０からの装着通知の受信を制御する。
【００２３】
なお、設定情報の通知は、項目設定部３１２により設定情報が作成された際、又はプリンタ４により印刷完了通知を受信した際にハンディターミナル１０に対して行なってもよいが、ハンディターミナル１０より装着通知を受信した際に、その装着通知に対する運用許可とともにハンディターミナル１０へ通知するものとする。これにより、印刷されたキーシート５１を装着したハンディターミナル１０に対して、そのキーシート５１を利用する運用許可と、設定情報とが通知されることとなる。
【００２４】
図１に戻り、ハンディターミナル１０は、看護師等の医療従事者により携帯されて使用される携帯型の情報通信端末である。図６は、ハンディターミナル１０の概略的構成を示す正面図である。図６に示すように、ハンディターミナル１０は、左ユニット１０２と右ユニット１０３とを有する。左ユニット１０２と右ユニット１０３とは、ヒンジ１０４によって回動開閉可能に連結されている。
【００２５】
左ユニット１０２の筐体１０２ａには、液晶表示器等の表示器１２１が設けられている。表示器１２１の表面にはタッチパネル１２２が積層して取り付けられている。タッチパネル１２２の下段側（図６中下側）の部分には、このタッチパネル１２２に重ねられてキーシート１２３が設けられている。キーシート１２３は、数字を表示するテンキー１２３ａ、上下の矢印を表示する矢印キー１２３ｂ、および「送信」と表示された送信キー１２３ｄ等を含む。このキーシート１２３は、上述したキーシート５１とは別に、ハンディターミナル１０に固定的に設けられるものである。表示器１２１の上段側（図６中上側）の部分には、音声入力を受け付けるマイク１４１が設けられている。
【００２６】
右ユニット１０３の筐体１０３ａには、複数個のキーを有するキーボード１３１が設けられている。このキーボード１３１は、印刷されたキーシート５１を装着して使用する。キーボード１３１のキーとしては、「体温」、「血圧」、「脈拍」、「閲覧」、「記録」等の項目を表示する文字が印刷された複数個の入力項目６１が設けられている。
【００２７】
図７は、ハンディターミナル１０のハードウエア構成を示すブロック図である。図７に示すように、ハンディターミナル１０は、情報処理を実行するマイクロコンピュータとして、ＣＰＵ１１、ＲＯＭ１２及びＲＡＭ１３を備えている。また、ＣＰＵ１１には、各種インタフェースやバスを介して、表示部１４、入力部１５、記憶部１６、通信Ｉ／Ｆ１７、スピーカ１９が接続されている。
【００２８】
また、ＣＰＵ１１には、バーコードや二次元コード等のコードシンボルに記録されたデータを読み取るスキャナ１８が接続インタフェースを介して接続される。尚、スキャナ１８の代わりに、ＲＦＩＤリーダを接続し、ＩＣタグに記録されたデータを読み取る形態としてもよい。
【００２９】
ＣＰＵ１１は、ＲＯＭ１２や記憶部１６に記憶された各種プログラムを実行することにより、ハンディターミナル１０を統括的に制御する。ＲＯＭ１２は、基本動作を行うためのプログラムを記憶している。ＲＡＭ１３は、ハンディターミナル１０の主記憶装置であって、ＣＰＵ１１のワークエリアとして機能する。
【００３０】
表示部１４は、表示器１２１や図示しないＬＥＤ（Light  Emitting  Diode）等の表示デバイスである。ＣＰＵ１１は、表示器１２１の表示制御を行い、ＬＥＤの点灯、点滅等の制御を行う。入力部１５は、タッチパネル１２２、キーボード１３１、マイク１４１等の入力デバイスである。
【００３１】
記憶部１６は、ＨＤＤ（Hard  Disk  Drive）やフラッシュメモリ等の記憶媒体であり、Ｗｅｂブラウザ等の各種プログラムやファイルを記憶している。通信Ｉ／Ｆ１７は、ネットワークを介して接続される看護支援サーバ２、端末装置３等との間のデータ通信を行うためのインタフェースである。ＣＰＵ１１は、この通信Ｉ／Ｆ１７を制御し、上記装置との間で、所定の通信プロトコルに従って種々のデータを送受信する。
【００３２】
また、ハンディターミナル１０は、図示しないＲＴＣ（Real  Time  Clock）等の計時装置を具備し、ＣＰＵ１１は、この計時装置が計時する時刻情報に基づいて、現在日時（年月日及び時刻）を取得する。この取得した現在日時は、ハンディターミナル１０のＣＰＵ１１が各種プログラムを実行する際に利用される。
【００３３】
ハンディターミナル１０のＣＰＵ１１は、ＲＯＭ１２や記憶部１６に記憶されたプログラムをＲＡＭ１３に展開して実行することにより、装着通知部１１１と、キー割付部１１２として機能する。
【００３４】
装着通知部１１１は、入力部１５のキーボード１３１上へのキーシート５１の装着を端末装置３へ通知する。具体的には、装着通知部１１１は、キーシート５１が入力部１５のキーボード１３１上へ装着された際に、ユーザより行われる装着確認操作（例えば送信キー１２３ｄの長押）に応じて、端末装置３へ装着通知を送信する。
【００３５】
キー割付部１１２は、端末装置３より通知された入力項目、すなわち入力項目の設定を行ったキーの配置位置と、入力項目との対応関係を記述した設定情報をもとに、入力部１５のキーボード１３１のキー割付を行う。具体的には、端末装置３より通知された設定情報をもとに、キーボード１３１における各キーを操作した際に受け付ける入力項目を設定する。なお、キー割付部１１２は、端末装置３より運用許可が通知された後に、端末装置３より通知された設定情報によるキー割付の運用を開始するものとし、運用許可が通知されるまでは、従来のキー割付で入力を受け付けるものとする。
【００３６】
次に、看護師を選択してキーシート５１を印刷し、その印刷したキーシート５１をハンディターミナル１０に装着して運用を開始するまでの医療支援システム１の動作の一例について説明する。図８は、医療支援システム１の動作の一例を示すシーケンス図である。
【００３７】
図８に示すように、端末装置３の看護師選択部３１１は、看護支援サーバ２の看護師ＤＢ２１に記録された看護師についてのデータ要求に対応した、看護支援サーバ２からのデータ送信をもとに、看護師の一覧から選択を受け付ける選択画面を表示部３４に表示し、入力部３５によるユーザの操作を受け付けて、ハンディターミナル１０を使用する看護師を選択する（Ｓ１）。
【００３８】
次いで、端末装置３の項目設定部３１２は、看護師選択部３１１により選択された看護師の担当患者を抽出し（Ｓ２）、抽出した担当患者用の入力項目を設定する（Ｓ３）。具体的には、看護師選択部３１１により選択された看護師を識別する看護師ＩＤで看護支援サーバ２の看護師ＤＢ２１に担当患者のデータ要求を行なって、担当患者を識別する担当患者ＩＤのデータ送信を看護支援サーバ２より受け付ける。また、担当患者ＩＤで看護支援サーバ２の患者ＤＢ２２に受診科目、部屋番号のデータ要求を行なって、担当患者の受診科目、部屋番号のデータ送信を看護支援サーバ２より受け付けて、担当患者の受診科目、部屋番号に対応した入力項目を設定する。
【００３９】
例えば、図２に例示した看護師ＤＢ２１において、看護師ＩＤ「１００１」の看護師が選択された場合、担当患者ＩＤ「２００１」の患者が担当患者として抽出される。このＩＤが「２００１」の患者について、図３に例示した患者ＤＢ２２を参照することで、受診科目「内科（泌尿器）」、部屋番号「２０１」が得られ、部屋番号「２０１」に対応した入力項目が設定されることとなる。
【００４０】
次いで、端末装置３の項目設定部３１２は、看護師選択部３１１により選択された看護師の担当業務を抽出し（Ｓ４）、抽出した担当業務用の入力項目を設定する（Ｓ５）。具体的には、看護師選択部３１１により選択された看護師を識別する看護師ＩＤで看護支援サーバ２の看護師ＤＢ２１に担当科目のデータ要求を行なって、担当科目のデータ送信を看護支援サーバ２より受け付ける。選択された看護師の担当業務は、主に看護師ＤＢ２１に記録された担当科目と、担当患者の受診科目である。したがって、看護師ＤＢ２１より抽出した担当科目、患者ＤＢ２２より抽出した担当患者の受診科目で看護支援サーバ２の看護業務ＤＢ２３に業務項目のデータ要求を行なって、担当業務にかかる業務項目のデータ送信を看護支援サーバ２より受け付け、業務項目に対応した入力項目を設定する。
【００４１】
例えば、図２に例示した看護師ＤＢ２１において、看護師ＩＤ「１００１」の看護師が選択された場合、担当科目「内科」が抽出される。また、上述したとおり、看護師ＩＤ「１００１」の看護師における担当患者の受診科目として「内科（泌尿器）」が抽出される。この「内科」、「内科（泌尿器）」について、図４に例示した看護業務ＤＢ２３を参照することで、「採血」、「腎機能」の業務項目が得られ、「採血」、「腎機能」に対応した入力項目が設定されることとなる。
【００４２】
次いで、端末装置３の項目設定部３１２は、予め設定された基本業務、システムの入力項目の設定を行い（Ｓ６）、Ｓ３、Ｓ５、Ｓ６で設定された入力項目と、キーの配置位置との対応関係を記述した設定情報を作成する。
【００４３】
次いで、印刷制御部３１３は、作成した設定情報をもとに、印刷情報を生成してプリンタ４へ出力し、キーシート５１の印刷を行う（Ｓ７）。印刷されたキーシート５１は、例えば看護師などによりハンディターミナル１０の入力部１５におけるキーボード１３１上に装着される。
【００４４】
図９は、印刷されたキーシート５１を例示する図である。図９に示すように、キーシート５１には、Ｓ３、Ｓ５、Ｓ６で設定された基本業務項目６１１、担当業務項目６１２、部屋番号項目６１３、システム項目６１４が印刷される。ここで、担当業務項目６１２は、Ｓ１で選択された看護師の担当業務用の入力項目である。また、部屋番号項目６１３は、Ｓ１で選択された看護師の担当患者用の入力項目である。このように、キーシート５１には、Ｓ１で選択された看護師がハンディターミナル１０を使用する際に、利用頻度の高い担当業務や担当患者用の入力項目が設定されている。
【００４５】
ハンディターミナル１０の装着通知部１１１は、キーシート５１の装着後の装着確認操作に応じて端末装置３へ装着通知を送信する（Ｓ８）。端末装置３の通信制御部３１４は、ハンディターミナル１０からの装着通知に応じて、運用許可と設定情報をハンディターミナル１０へ通知する（Ｓ９）。ハンディターミナル１０のキー割付部１１２は、端末装置３からの運用許可をもとに、端末装置３より通知された設定情報に従ったキー割付でのキー操作を有効とし、Ｓ７で印刷されたキーシート５１での運用を開始する（Ｓ１０）。
【００４６】
以上のように、医療支援システム１は、ハンディターミナル１０と、ハンディターミナル１０と通信可能な端末装置３とを備える。端末装置３は、ハンディターミナル１０を使用する医療従事者を選択し、看護師ＤＢ２１を参照して、選択された看護師の担当患者及び担当科目に対応したハンディターミナル１０の入力項目を設定する。また、端末装置３は、設定された入力項目をもとに、ハンディターミナル１０の入力部１５に装着するキーシート５１をプリンタ４に印刷させ、設定された入力項目をハンディターミナル１０に通知する。ハンディターミナル１０は、端末装置３より通知された入力項目をもとに、入力部１５のキー割付を行う。したがって、医療支援システム１では、ハンディターミナル１０を使用する看護師を選択することで、その選択した看護師の担当患者及び担当科目に対応した入力項目をハンディターミナル１０のキー割付として設定できることから、看護師ごとの、ハンディターミナル１０のキー割付の設定を容易に行うことが可能となる。
【００４７】
なお、本実施形態の端末装置３、ハンディターミナル１０で実行されるプログラムは、ＲＯＭ等に予め組み込まれて提供される。本実施形態の端末装置３、ハンディターミナル１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４８】
さらに、本実施形態の端末装置３、ハンディターミナル１０で実行されるプログラムを、インターネット等のネットワークに接続されたコンピュータ上に格納し、ネットワーク経由でダウンロードさせることにより提供するように構成しても良い。また、本実施形態の端末装置３、ハンディターミナル１０で実行されるプログラムをインターネット等のネットワーク経由で提供または配布するように構成しても良い。
【００４９】
本実施形態の端末装置３、ハンディターミナル１０で実行されるプログラムは、上述した機能構成を含むモジュール構成となっており、実際のハードウェアとしてはＣＰＵ（プロセッサ）が上記ＲＯＭからプログラムを読み出して実行することにより上記機能構成が主記憶装置上にロードされ、主記憶装置上に生成されるようになっている。
【符号の説明】
【００５０】
１…医療支援システム、２…看護支援サーバ、３…端末装置、４…プリンタ、１０…ハンディターミナル、１１…ＣＰＵ、１２…ＲＯＭ、１３…ＲＡＭ、１４…表示部、１５…入力部、１６…記憶部、１７…通信Ｉ／Ｆ、１８…スキャナ、１９…スピーカ、２１…看護師ＤＢ、２２…患者ＤＢ、２３…看護業務ＤＢ、２４…電子カルテＤＢ、３１…ＣＰＵ、３２…ＲＯＭ、３３…ＲＡＭ、３４…表示部、３５…入力部、３７…通信Ｉ／Ｆ、５１…キーシート、６１…入力項目、１０２…左ユニット、１０２ａ…筐体、１０３…右ユニット、１０３ａ…筐体、１０４…ヒンジ、１１１…装着通知部、１１２…キー割付部、１２１…表示器、１２２…タッチパネル、１２３…キーシート、１２３ａ…テンキー、１２３ｂ…矢印キー、１２３ｄ…送信キー、１３１…キーボード、１４１…マイク、３１１…看護師選択部、３１２…項目設定部、３１３…印刷制御部、３１４…通信制御部、６１１…基本業務項目、６１２…担当業務項目、６１３…部屋番号項目、６１４…システム項目
【先行技術文献】
【特許文献】
【００５１】
【特許文献１】特開２０００−２０２２３号公報
【図１】
0005555281.tif 000002
【図２】
0005555281.tif 000003
【図３】
0005555281.tif 000004
【図４】
0005555281.tif 000005
【図５】
0005555281.tif 000006
【図６】
0005555281.tif 000007
【図７】
0005555281.tif 000008
【図８】
0005555281.tif 000009
【図９】
0005555281.tif 000010